(57)【要約】【課題】高品位画像を可能にする事。【解決手段】電気光学装置２０で、複数の信号線２３は、ｋ個の信号線群に分類され（ｋは２以上の整数）、駆動部５０は、水平走査期間において、ｋ個の信号線群に画像信号を供給する場合、ｋ個の信号線群の一部にプリチャージ信号ＰＲＣを供給した後に画像信号を供給し、ｋ個の信号線群の残りにプリチャージ信号ＰＲＣを供給しないで画像信号を供給する。斯うすると、クロストークが抑制されると共に、プリチャージ動作の回数が減少するので、消費電力も削減される。それに伴い、発熱量も少なくなるので、電気光学装置２０の動作安定性も改善される。【選択図】図５
2015094766.tif 000002
【特許請求の範囲】
【請求項１】
複数の走査線と、複数の信号線と、前記複数の走査線と前記複数の信号線との各交差に対応して配置された画素と、前記複数の走査線と前記複数の信号線とに駆動信号を供給する駆動部とを備えた電気光学装置であって、
前記複数の信号線は、ｋ個の信号線群に分類され（ｋは２以上の整数）、
前記駆動部は、水平走査期間において、前記ｋ個の信号線群に画像信号を供給する場合、前記ｋ個の信号線群の一部にプリチャージ信号を供給した後に前記画像信号を供給し、前記ｋ個の信号線群の残りに前記プリチャージ信号を供給しないで前記画像信号を供給する事を特徴とする電気光学装置。
【請求項２】
前記駆動部は、
第１の水平走査期間に、前記ｋ個の信号線群の一部に前記プリチャージ信号を供給した後に前記画像信号を供給し、前記ｋ個の信号線群の残りに前記プリチャージ信号を供給しないで前記画像信号を供給し、
前記第１の水平走査期間に続く第２の水平走査期間に、前記ｋ個の信号線群の一部に前記プリチャージ信号を供給した後に前記画像信号を供給し、前記ｋ個の信号線群の残りに前記プリチャージ信号を供給しないで前記画像信号を供給し、
前記第１の水平走査期間と前記第２の水平走査期間とで、前記プリチャージ信号が供給される信号線が異なっている事を特徴とする請求項１に記載の電気光学装置。
【請求項３】
垂直走査期間は、少なくとも第１から第ｋの水平走査期間を含み、
前記駆動部は、
前記第１から第ｋの水平走査期間の各々で、前記ｋ個の信号線群の一部に前記プリチャージ信号を供給した後に前記画像信号を供給し、前記ｋ個の信号線群の残りに前記プリチャージ信号を供給しないで前記画像信号を供給し、
前記第１から第ｋの水平走査期間で前記ｋ個の信号線群の総てに前記プリチャージ信号を供給する事を特徴とする請求項１又は２に記載の電気光学装置。
【請求項４】
前記垂直走査期間に、前記ｋ個の信号線群の総てに前記プリチャージ信号を供給しないで前記画像信号を供給する水平走査期間が含まれる事を特徴とする請求項３に記載の電気光学装置。
【請求項５】
前記駆動部は、前記垂直走査期間において、前記ｋ個の信号線群の各々に、複数回のプリチャージ信号を供給し、
ある信号線群に対してプリチャージ信号が供給された後に次のプリチャージ信号が供給される迄の期間が３２水平走査期間以下である事を特徴とする請求項３又は４に記載の電気光学装置。
【請求項６】
前記駆動部は、前記プリチャージ信号の供給に連続して前記画像信号を供給する事を特徴とする請求項１乃至５のいずれか一項に記載の電気光学装置。
【請求項７】
前記駆動部は、前記プリチャージ信号の供給期間と前記画像信号の供給期間とを制御し、
前記プリチャージ信号の供給期間を短縮した場合、前記画像信号の供給期間を長くする事を特徴とする請求項１乃至６のいずれか一項に記載の電気光学装置。
【請求項８】
請求項１乃至７のいずれか一項に記載の電気光学装置を備えた事を特徴とする電子機器。
【請求項９】
複数の走査線と、複数の信号線と、前記複数の走査線と前記複数の信号線との各交差に対応して配置された画素と、を備えた電気光学装置の駆動方法であって、
前記複数の信号線は、ｋ個の信号線群に分類され（ｋは２以上の整数）、
垂直走査期間は少なくとも第１の水平走査期間を含み、
前記第１の水平走査期間では、前記ｋ個の信号線群の一部にプリチャージ信号が供給された後に、前記ｋ個の信号線群の其々に画像信号が供給される事を特徴とする電気光学装置の駆動方法。
【請求項１０】
前記垂直走査期間は更に第２の水平走査期間を含み、
前記第２の水平走査期間では、前記ｋ個の信号線群の一部に前記プリチャージ信号が供給された後に、前記ｋ個の信号線群の其々に前記画像信号が供給され、
前記第１の水平走査期間と前記第２の水平走査期間とで、前記プリチャージ信号が供給される信号線が異なっている事を特徴とする請求項９に記載の電気光学装置の駆動方法。
【請求項１１】
複数の走査線と、複数の信号線と、前記複数の走査線と前記複数の信号線との各交差に対応して配置された画素と、を備えた電気光学装置の駆動方法であって、
前記複数の信号線は、ｋ個の信号線群に分類され（ｋは２以上の整数）、
垂直走査期間は少なくとも第１の水平走査期間から第ｋの水平走査期間迄のｋ個の水平走査期間を含み、
前記ｋ個の水平走査期間の各々で、前記ｋ個の信号線群の一部にプリチャージ信号が供給された後に、前記ｋ個の信号線群の其々に画像信号が供給され、
前記第１の水平走査期間から前記第ｋの水平走査期間迄の期間に前記ｋ個の信号線群の総てに前記プリチャージ信号が同じ回数供給される事を特徴とする電気光学装置の駆動方法。
【請求項１２】
請求項９乃至１１のいずれか一項に記載の電気光学装置の駆動方法により駆動される事を特徴とする電気光学装置。
【請求項１３】
請求項１２に記載の電気光学装置を備えた事を特徴とする電子機器。
【発明の詳細な説明】
【技術分野】
【０００１】
本発明は、電気光学装置、電気光学装置の駆動方法、及び電子機器に関する。
【背景技術】
【０００２】
表示機能が付いた電子機器では、透過型電気光学装置や反射型電気光学装置が使用されている。これらの電気光学装置に光が照射され、電気光学装置により変調された透過光や反射光が表示画像となったり、或いはスクリーンに投影されて投射画像となったりしている。この様な電子機器に使用される電気光学装置としては液晶装置が知られており、これは液晶の誘電異方性と液晶層に於ける光の旋光性とを利用して画像を形成する物である。液晶装置では、画像表示領域に走査線と信号線とが配置されて、これらの交点に画素が行列状に配置されている。画素には画素トランジスターが設けられ、画素トランジスターを介して各画素に画像信号を供給する事で画像が形成される。
【０００３】
電気光学装置や、電気光学装置を用いた電子機器にて、表示品質の高い映像を得る方法としては、例えば特許文献１に記載されている。特許文献１では、全ての信号線に対して１水平走査期間に１回のプリチャージ動作が実施されている。プリチャージ動作は各画素への画像信号の書き込みに先行して実施され、その電圧は書き込み極性に応じて適時設定されている。このプリチャージ動作により、画素トランジスターの光リーク電流に起因する縦クロストークが抑制され、それ故に高品質の画像が表示される。この方法は、入射光束が大きくなるプロジェクターなどに液晶装置を適応した場合に、取り分け大きな効果を示していた。
【先行技術文献】
【特許文献】
【０００４】
【特許文献１】国際公開第９９／０４３８４号パンフレット
【発明の概要】
【発明が解決しようとする課題】
【０００５】
しかしながら、特許文献１に記載されている表示方式は、高精細な画像表示と両立し難いと云う課題があった。液晶装置の高精細化が進むにつれ水平走査期間は短くなる。その為に水平走査期間毎にプリチャージ動作を挿入すると、画像信号の書き込み期間が短くなり、各画素に正しい画像信号を供給できないからである。加えて、特許文献１に記載されている表示方式では、消費電力が増加すると共に電気光学装置の信頼性が低下するとの課題があった。プリチャージ動作は画像信号とは異なる充放電動作となるので、消費電力は必ず増加する。消費電力の増加によって駆動用半導体装置は発熱し、駆動用半導体装置や電気光学装置の動作安定性が損ねられる懸念が見られた。換言すると、従来の電気光学装置では、クロストークが抑制された高精細画像を低消費電力で安定的に表示する事が困難であると云う課題があった。
【課題を解決するための手段】
【０００６】
本発明は、前述の課題の少なくとも一部を解決する為になされたものであり、以下の形態又は適用例として実現する事が可能である。
【０００７】
（適用例１）  本適用例に係わる電気光学装置は、複数の走査線と、複数の信号線と、複数の走査線と複数の信号線との各交差に対応して配置された画素と、複数の走査線と複数の信号線とに駆動信号を供給する駆動部とを備えた電気光学装置であって、複数の信号線は、ｋ個の信号線群に分類され（ｋは２以上の整数）、駆動部は、水平走査期間において、ｋ個の信号線群に画像信号を供給する場合、ｋ個の信号線群の一部にプリチャージ信号を供給した後に画像信号を供給し、ｋ個の信号線群の残りにプリチャージ信号を供給しないで画像信号を供給する事を特徴とする。
この構成によると、クロストークが抑制されると共に、プリチャージ動作の回数が減少するので、消費電力も削減される。それに伴い、発熱量も少なくなるので、電気光学装置の動作安定性も改善される。即ち、クロストークが抑制された高精細画像を低消費電力で安定的に表示する電気光学装置を実現する事ができる。
【０００８】
（適用例２）  上記適用例１に記載の電気光学装置に於いて、駆動部は、第１の水平走査期間に、ｋ個の信号線群の一部にプリチャージ信号を供給した後に画像信号を供給し、ｋ個の信号線群の残りにプリチャージ信号を供給しないで画像信号を供給し、第１の水平走査期間に続く第２の水平走査期間に、ｋ個の信号線群の一部にプリチャージ信号を供給した後に画像信号を供給し、ｋ個の信号線群の残りにプリチャージ信号を供給しないで画像信号を供給し、第１の水平走査期間と第２の水平走査期間とで、プリチャージ信号が供給される信号線が異なっている事が好ましい。
この構成によると、第１の水平走査期間と第２の水平走査期間とで、プリチャージ信号が供給される信号線が異なっているので、プリチャージ動作の回数が減らされると共に、第１の水平走査期間にプリチャージ信号が供給される信号線と第２の水平走査期間にプリチャージ信号が供給される信号線とを変える事ができる。
【０００９】
（適用例３）  上記適用例１又は２に記載の電気光学装置に於いて、垂直走査期間は、少なくとも第１から第ｋの水平走査期間を含み、駆動部は、第１から第ｋの水平走査期間の各々で、ｋ個の信号線群の一部にプリチャージ信号を供給した後に画像信号を供給し、ｋ個の信号線群の残りにプリチャージ信号を供給しないで画像信号を供給し、第１から第ｋの水平走査期間でｋ個の信号線群の総てにプリチャージ信号を供給する事が好ましい。
この構成によると、プリチャージ動作の回数を減らせると共に、総ての信号線にプリチャージ信号を供給する事ができる。
【００１０】
（適用例４）  上記適用例３に記載の電気光学装置に於いて、垂直走査期間に、ｋ個の信号線群の総てにプリチャージ信号を供給しないで画像信号を供給する水平走査期間が含まれる事が好ましい。
この構成によると、プリチャージ信号を供給しない水平走査期間が垂直走査期間に含まれるので、プリチャージ動作の回数を更に減らす事ができる。
【００１１】
（適用例５）  上記適用例３又は４に記載の電気光学装置に於いて、駆動部は、垂直走査期間において、ｋ個の信号線群の各々に、複数回のプリチャージ信号を供給し、ある信号線群に対してプリチャージ信号が供給された後に次のプリチャージ信号が供給される迄の期間が３２水平走査期間以下である事が好ましい。
この構成によるとクロストークを抑制する事ができる。
【００１２】
（適用例６）  上記適用例１乃至５のいずれか一項に記載の電気光学装置に於いて、駆動部は、プリチャージ信号の供給に連続して画像信号を供給する事が好ましい。
この構成によると、プリチャージ信号と画像信号とが連続して供給されるので、信号線群の選択動作に伴う充放電回数が減り、消費電力を更に削減する事ができる。
【００１３】
（適用例７）  上記適用例１乃至６のいずれか一項に記載の電気光学装置に於いて、駆動部は、プリチャージ信号の供給期間と画像信号の供給期間とを制御し、プリチャージ信号の供給期間を短縮した場合、画像信号の供給期間を長くする事が好ましい。
この構成によると、画像信号の供給期間が長くなるので、各画素に正確な画像信号が供給される事が可能となる。
【００１４】
（適用例８）  適用例１乃至７のいずれか一項に記載の電気光学装置を備えた事を特徴とする電子機器。
この構成によると、クロストークが抑制された高精細画像を低消費電力で安定的に表示する電気光学装置を備えた電子機器を実現する事ができる。
【００１５】
（適用例９）  本適用例に係わる電気光学装置の駆動方法は、複数の走査線と、複数の信号線と、複数の走査線と複数の信号線との各交差に対応して配置された画素と、を備えた電気光学装置の駆動方法であって、複数の信号線は、ｋ個の信号線群に分類され（ｋは２以上の整数）、垂直走査期間は少なくとも第１の水平走査期間を含み、第１の水平走査期間では、ｋ個の信号線群の一部にプリチャージ信号が供給された後に、ｋ個の信号線群の其々に画像信号が供給される事を特徴とする。
この方法によると、クロストークが抑制されると共に、プリチャージ動作の回数が減少するので、消費電力も削減される。それに伴い、発熱量も少なくなるので、電気光学装置の動作安定性も改善される。即ち、クロストークが抑制された高精細画像を低消費電力で安定的に表示する電気光学装置を実現する事ができる。
【００１６】
（適用例１０）  上記適用例９に記載の電気光学装置の駆動方法に於いて、垂直走査期間は更に第２の水平走査期間を含み、第２の水平走査期間では、ｋ個の信号線群の一部にプリチャージ信号が供給された後に、ｋ個の信号線群の其々に画像信号が供給され、第１の水平走査期間と第２の水平走査期間とで、プリチャージ信号が供給される信号線が異なっている事が好ましい。
この方法によると、第１の水平走査期間と第２の水平走査期間とで、プリチャージ信号が供給される信号線が異なっているので、プリチャージ動作の回数が減らされると共に、第１の水平走査期間にプリチャージ信号が供給される信号線と第２の水平走査期間にプリチャージ信号が供給される信号線とを変える事ができる。
【００１７】
（適用例１１）  本適用例に係わる電気光学装置の駆動方法は、複数の走査線と、複数の信号線と、複数の走査線と複数の信号線との各交差に対応して配置された画素と、を備えた電気光学装置の駆動方法であって、複数の信号線は、ｋ個の信号線群に分類され（ｋは２以上の整数）、垂直走査期間は少なくとも第１の水平走査期間から第ｋの水平走査期間迄のｋ個の水平走査期間を含み、ｋ個の水平走査期間の各々で、ｋ個の信号線群の一部にプリチャージ信号が供給された後に、ｋ個の信号線群の其々に画像信号が供給され、第１の水平走査期間から第ｋの水平走査期間迄の期間にｋ個の信号線群の総てにプリチャージ信号が同じ回数供給される事を特徴とする。
この方法によると、プリチャージ動作の回数を減らせると共に、総ての信号線にプリチャージ信号を供給する事ができる。
【００１８】
（適用例１２）  上記適用例９乃至１１のいずれか一項に記載の電気光学装置の駆動方法により駆動される事を特徴とする電気光学装置。
この構成によると、クロストークが抑制された高精細画像を低消費電力で安定的に表示する電気光学装置を実現する事ができる。
【００１９】
（適用例１３）  上記適用例１２に記載の電気光学装置を備えた事を特徴とする電子機器。
この構成によると、クロストークが抑制された高精細画像を低消費電力で安定的に表示する電気光学装置を備えた電子機器を実現する事ができる。
【図面の簡単な説明】
【００２０】
【図１】電子機器の一例である投射型表示装置の模式図。
【図２】電気光学装置の回路ブロック図。
【図３】画素の回路図。
【図４】実施形態１に係わる信号線駆動回路の回路構成を説明した図。
【図５】実施形態１に係わる駆動方法を説明するタイミングチャートの一例。
【図６】比較例に係わる駆動方法を説明するタイミングチャートの一例。
【図７】プリチャージ動作の頻度とクロストークとの関係を説明した図。
【図８】実施形態２に係わる駆動方法を説明するタイミングチャートの一例。
【図９】実施形態３に係わる駆動方法を説明するタイミングチャートの一例。
【図１０】実施形態４に係わる駆動方法を説明するタイミングチャートの一例。
【図１１】実施形態５に係わる信号線駆動回路の回路構成を説明した図。
【発明を実施するための形態】
【００２１】
以下、本発明の実施形態について、図面を参照して説明する。尚、以下の各図においては、各層や各部材を認識可能な程度の大きさにするため、各層や各部材の尺度を実際とは異ならせしめている。
【００２２】
（実施形態１）
「電子機器の概要」
図１は、電子機器の一例である投射型表示装置（３板式のプロジェクター）の模式図である。以下、図１を参照して電子機器の構成を説明する。
【００２３】
電子機器（投射型表示装置１０００）は、３枚の電気光学装置２０（図２参照、以下、第一パネル２０１、第二パネル２０２、第三パネル２０３と略称する）と、これら電気光学装置２０に制御信号を供給する制御装置３０と、を少なくとも有している。第一パネル２０１と第二パネル２０２と第三パネル２０３とは、相異なる表示色（赤色や緑色、青色）に対応する３個の電気光学装置２０である。以下、特に第一パネル２０１と第二パネル２０２と第三パネル２０３とを区別する必要がなければ、これらを纏めて単に電気光学装置２０と称する。
【００２４】
照明光学系１１００は、照明装置（光源）１２００からの出射光のうち赤色成分ｒを第一パネル２０１に供給し、緑色成分ｇを第二パネル２０２に供給し、青色成分ｂを第三パネル２０３に供給する。各電気光学装置２０は、照明光学系１１００から供給される各色光を表示画像に応じて変調する光変調器（ライトバルブ）として機能する。投射光学系１３００は、各電気光学装置２０からの出射光を合成して投射面１４００に投射する。
【００２５】
「電子機器の回路構成」
図２は、電気光学装置の回路ブロック図である。次に、図２を参照して電気光学装置２０の回路ブロック構成を説明する。
【００２６】
図２に示す様に、電気光学装置２０は表示領域４２と駆動部５０とを少なくとも具備している。表示領域４２には、相交差する複数の走査線２２と複数の信号線２３とが形成され、走査線２２と信号線２３との各交差に対応して画素２１が行列状に配列されている。走査線２２は行方向に延在しており、信号線２３は列方向に延在している。尚、走査線２２の内でｉ行目の走査線２２を特定する際には、走査線Ｇｉと表記し、信号線２３の内で（ｊｋ＋ｐ）列目の信号線２３を特定する際には、信号線Ｓｊｋ＋ｐと表記する（ｊ、ｋ、ｐについては後に詳述する）。表示領域４２には、ｍ本の走査線２２とｎ本の信号線２３とが形成されている（ｍは２以上の整数、ｎは２以上の整数）。尚、本実施形態では、ｍ＝２１６８で、ｎ＝４１１２を例として、電気光学装置２０とその駆動方法などを説明する。この場合、２１６８行×４１１２列の表示領域４２に対し、２１６０行×４０９６行の所謂４Ｋ画像が表示される。
【００２７】
表示領域４２には駆動部５０から各種信号が供給され、画像が表示領域４２に表示される。即ち、駆動部５０は、複数の走査線２２と複数の信号線２３とに駆動信号を供給する。具体的に、駆動部５０は、各画素２１を駆動する駆動回路５１と、駆動回路５１に表示用信号を供給する表示用信号供給回路３２と、フレーム画像を一時的に記憶する記憶回路３３と、を含んで構成される。記憶回路３３に記憶されたフレーム画像から、表示用信号供給回路３２は表示用信号（画像信号やクロック信号等）を作製し、これを駆動回路５１に供給する。表示用信号供給回路３２はプリチャージ信号ＰＲＣも作製し、これを駆動回路５１に供給する。
【００２８】
駆動回路５１は走査線駆動回路５２と信号線駆動回路５３とを含んで構成される。走査線駆動回路５２は画素を行方向に選択又は非選択する走査信号を各走査線２２に出力し、走査線２２はこの走査信号を画素２１に伝える。言い換えると、走査信号は選択状態と非選択状態とを有しており、走査線２２は、走査線駆動回路５２からの走査信号を受けて、適宜選択され得る。走査線駆動回路５２は不図示のシフトレジスター回路を備えており、シフトレジスター回路をシフトする信号が、一段毎にシフト出力信号として出力される。このシフト出力信号を用いて走査信号が形成される。信号線駆動回路５３は、走査線２２の選択に同期してｎ本の信号線２３の各々にプリチャージ信号ＰＲＣ（図５参照）や画像信号を供給する事ができる。
【００２９】
一枚の表示画像は１フレーム期間に形成される。１フレーム期間には各走査線２２が少なくとも一度は選択される。通常は、各走査線２２が一度ずつ選択される。一つの走査線が選択される期間を水平走査期間と呼ぶので、１フレーム期間には少なくともｍ個の水平走査期間が含まれる。１行目走査線Ｇ１から順にｍ行目の走査線Ｇｍまで（或いは、ｍ行目走査線Ｇｍから順に１行目の走査線Ｇ１まで）順次走査線２２が選択されて１フレーム期間が構成されるので、フレーム期間を垂直走査期間とも呼ぶ。
【００３０】
本実施形態では電気光学装置２０は不図示のガラス基板を用いて形成され、駆動回路５１はこのガラス基板に薄膜トランジスター等の薄膜素子を用いて形成されている。又、表示用信号供給回路３２と記憶回路３３とが制御装置３０に含まれており、制御装置３０は単結晶半導体基板に形成される半導体集積回路で構成されている。この構成以外にも、表示領域４２がガラス基板に形成され、駆動回路５１は単結晶半導体基板に形成される集積回路としても良いし、表示領域４２も駆動回路５１も単結晶半導体基板に形成される構成としても良い。
【００３１】
「画素の構成」
図３は、各画素の回路図である。次に、図３を参照して画素２１の構成を説明する。
【００３２】
本実施形態の電気光学装置２０は液晶装置であり、電気光学材料は液晶２６となる。図３に示す様に、各画素２１は、液晶素子ＣＬと画素トランジスター２４とを含んで構成される。液晶素子ＣＬは、相対向する画素電極２５と共通電極２７とを有し、これら両電極間に電気光学材料の液晶２６が配置された電気光学素子である。画素電極２５と共通電極２７との間に印加される電界に応じて液晶２６を通過する光の透過率が変化する。尚、電気光学材料としては、液晶２６に代わり、電気泳動材料を用いても良い。その場合、電気光学装置２０は電気泳動装置となり、電子書籍などに使用される。
【００３３】
画素トランジスター２４は、走査線２２にゲートが接続されたＮ型の薄膜トランジスターで構成され、液晶素子ＣＬと信号線２３との間に介在して両者の電気的な接続（導通／非導通）を制御する。従って、画素２１（液晶素子ＣＬ）は、画素トランジスター２４がオン状態とされた際に信号線２３へ供給されている電位（画像信号）に応じた表示を行う。尚、液晶素子ＣＬに対して並列に接続される補助容量等の図示は省略されている。
【００３４】
「信号線駆動回路５３」
図４は、実施形態１に係わる信号線駆動回路の回路構成を説明した図である。次に、図４を参照して信号線駆動回路５３の構成を説明する。
【００３５】
信号線駆動回路５３は、ｎ本の信号線２３の各々にプリチャージ信号ＰＲＣと画像信号とを供給する事ができる。まず、ｎ本の信号線２３はｋ個の信号線群に分類される（ｋは２以上の整数）。即ち、系列信号がｋ種類あり、これに応じて、ｎ本の信号線２３は、第１系列の信号線（第１系列信号線群と称す）から第ｋ系列の信号線（第ｋ系列信号線群と称す）まで、ｋ種類の信号線群に分類される。（ｊｋ＋ｐ）列目の信号線Ｓｊｋ＋ｐにてｐは１からｋ迄のいずれかの値を取り、（ｊｋ＋ｐ）列目の信号線Ｓｊｋ＋ｐは第ｐ系列信号線群に属する。又、パラメーターｊは０からｑまでのいずれかの整数値を取り得る。数値ｑはパラメーターｊの最大値で、信号線２３の本数ｎを系列数ｋにて除した値から１を減じた値である（ｑ＝ｎ／ｋ−１）である。本実施形態では、一例として、ｎ＝４１１２とし、ｋ＝４としているので、パラメーターｊが取り得る最大値ｑは１０２７（ｑ＝１０２７）である。従って、第１系列信号線群は（ｊｋ＋１）列目の信号線Ｓｊｋ＋１の集合体であり、具体的には、ｊ＝０の１列目の信号線Ｓ１、ｊ＝１の５列目の信号線Ｓ５、ｊ＝２の９列目の信号線Ｓ９、、、ｊ＝１０２７の４１０９列目の信号線Ｓ４１０９、迄の１０２８本の信号線２３が含まれる。同様に、第２系列信号線群は（ｊｋ＋２）列目の信号線Ｓｊｋ＋２の集合体であり、具体的には、ｊ＝０の２列目の信号線Ｓ２、ｊ＝１の６列目の信号線Ｓ６、ｊ＝２の１０列目の信号線Ｓ１０、、、ｊ＝１０２７の４１１０列目の信号線Ｓ４１１０、迄の１０２８本の信号線２３が含まれる。以下同様にして、第ｋ系列信号線群は（ｊｋ＋ｋ）列目の信号線Ｓｊｋ＋ｋの集合体であり、具体的には、ｊ＝０のｋ列目の信号線Ｓｋ、ｊ＝１の２ｋ列目の信号線Ｓ２ｋ、ｊ＝２の３ｋ列目の信号線Ｓ３ｋ、、、ｊ＝ｑの（ｑ＋１）ｋ列目の信号線Ｓ（ｑ＋１）ｋ（今の例では、ｊ＝１０２８の４１１２列目の信号線Ｓ４１１２）の１０２８本の信号線２３が含まれる。
【００３６】
信号線駆動回路５３には、ｋ種類の系列信号に対応するｋ本の系列線と、（ｑ＋１）本の元信号線が配線されている。第ｐ系列線には第ｐ系列信号ＳＥＬｐが供給される（ｐは１からｋ迄の任意の整数）。例えば、第１系列線には第１系列信号ＳＥＬ１が供給され、第２系列線には第２系列信号ＳＥＬ２が供給され、以下同様にして、第ｋ系列線には第ｋ系列信号ＳＥＬｋが供給される。第ｊ元信号線には第ｊ元信号ＯＳｊが供給される。例えば、第０元信号線には第０元信号ＯＳ０が供給され、第１元信号線には第１元信号ＯＳ１が供給され、以下同様にして、第ｑ元信号線には第ｑ元信号ＯＳｑが供給される。
【００３７】
信号線駆動回路５３には、ｑ＋１個（即ち、ｎ／ｋ個）の第１スイッチＳＷ１からｑ＋１個（即ち、ｎ／ｋ個）の第ｋスイッチＳＷｋが含まれている。第１スイッチＳＷ１から第ｋスイッチＳＷｋは、画素トランジスター２４と同様に、薄膜トランジスターで形成されている。第ｐスイッチＳＷｐの一端（ソースとドレインとの一方）は（ｊｋ＋ｐ）列目の信号線Ｓｊｋ＋ｐに電気的に接続され、第ｐスイッチＳＷｐの他端（ソースとドレインとの他方）は第ｊ元信号線に電気的に接続され、第ｐスイッチＳＷｐのゲートは第ｐ系列線に電気的に接続されている。従って、第ｐ系列信号ＳＥＬｐが選択信号となれば、第ｐスイッチＳＷｐはオン状態となり、（ｊｋ＋ｐ）列目の信号線Ｓｊｋ＋ｐには、プリチャージ信号ＰＲＣ又は画像信号として、第ｊ元信号ＯＳｊが供給される。例えば、第１系列信号線群に属する１列目の信号線Ｓ１と第０元信号線との間に第１スイッチＳＷ１が配置され、第１スイッチＳＷ１のゲートは第１系列線に電気的に接続されている。その為に、第１系列信号ＳＥＬ１が選択信号となれば、第１スイッチＳＷ１はオン状態となり、１列目の信号線Ｓ１には、プリチャージ信号ＰＲＣ又は画像信号として、第０元信号ＯＳ０が供給される。同様に、例えば、第４系列信号線群に属する４１１２列目の信号線Ｓ４１１２と第１０２７元信号線との間に第４スイッチＳＷ４が配置され、第４スイッチＳＷ４のゲートは第４系列線に電気的に接続されている。その為に、第４系列信号ＳＥＬ４が選択信号となれば、第４スイッチＳＷ４はオン状態となり、４１１２列目の信号線Ｓ４１１２には、プリチャージ信号ＰＲＣ又は画像信号として、第１０２７元信号ＯＳ１０２７が供給される。
【００３８】
尚、本明細書にて、端子１と端子２とが電気的に接続されているとは、端子１と端子２とが同じ論理状態（設計概念上の電位）になり得る事を意味している。具体的には、端子１と端子２とが配線により直に接続されている場合の他に、抵抗素子やスイッチング素子等を介して接続されている場合を含む。即ち、端子１での電位と端子２での電位とが多少異なっていても、回路上で同じ論理を持たせる場合、端子１と端子２とは電気的に接続されている事になる。従って、例えば、図４に示す様に、１列目の信号線Ｓ１と第０元信号線との間に第１スイッチＳＷ１が配置された場合も、第１スイッチＳＷ１がオン状態では、第０元信号が１列目の信号線Ｓ１に供給されるので、１列目の信号線Ｓ１と第０元信号線とは電気的に接続されている事になる。
【００３９】
「駆動方法」
図５は、実施形態１に係わる駆動方法を説明するタイミングチャートの一例である。又、図６は、比較例に係わる駆動方法を説明するタイミングチャートの一例である。次に、図５と図６とを参照して、上述の構成をなす電気光学装置２０の駆動方法を説明する。尚、図６は比較例を説明する図であるが、説明を分かり易くする為に、本実施形態と同種類の信号には同じ符号や表記を用いている。
【００４０】
１回の垂直走査期間にはｍ個の水平走査期間が含まれるが、一垂直走査期間は少なくとも第１の水平走査期間を含んでいる。図５に示す様に、第１の水平走査期間では、ｋ個の信号線群の一部にプリチャージ信号ＰＲＣが供給された後に、ｋ個の信号線群の其々に画像信号が供給される（本実施形態では、一例として、ｋ＝４）。言い換えると、第１の水平走査期間においては、駆動部５０がｋ個の信号線群に画像信号を供給する場合、ｋ個の信号線群の一部にはプリチャージ信号ＰＲＣを供給した後に画像信号を供給し、ｋ個の信号線群の残りにはプリチャージ信号ＰＲＣを供給しないで画像信号を供給する。一方、図６に示す様に、従来技術に相当する比較例では、総ての水平走査期間にて総ての信号線２３にプリチャージ信号ＰＲＣを供給している。図５に示す本実施形態の駆動方法とする事で、後述する様に、クロストークは抑制される。又、プリチャージ動作の回数が減少するので、消費電力も削減される。それに伴い、発熱量も少なくなるので、電気光学装置２０の動作安定性も改善される。即ち、クロストークが抑制された高精細画像を低消費電力で安定的に表示する電気光学装置２０が実現される事になる。
【００４１】
要するに、第１の水平走査期間では、プリチャージ信号ＰＲＣを供給する際に、第１系列信号ＳＥＬ１から第ｋ系列信号ＳＥＬｋの少なくとも一つを非選択信号とする。例えば、ｉ行目の走査線Ｇｉが選択された水平走査期間を第１の水平走査期間とすると、この水平走査期間では、プリチャージ信号ＰＲＣを供給する際にｋ個の信号線群の内の一つの信号線群（この例では、第１系列信号線群）にだけプリチャージ信号ＰＲＣが供給され、残りの３つの信号線群にはプリチャージ信号ＰＲＣは供給されていない。実際に、ｉ行目の走査線Ｇｉが選択された水平走査期間では、プリチャージ信号ＰＲＣが供給される際に、第１系列信号ＳＥＬ１だけが選択状態となって、（ｊｋ＋１）列目の信号線Ｓｊｋ＋１だけにプリチャージ信号ＰＲＣとして第ｊ元信号ＯＳｊが供給される。その他の系列信号は非選択状態となっている。その後、第１系列信号ＳＥＬ１から第ｋ系列信号ＳＥＬｋが順次、時系列に選択状態となって、（ｊｋ＋１）列目の信号線Ｓｊｋ＋１に第１系列の画像信号ＯＳｊ−１として第ｊ元信号ＯＳｊが供給されたのに続き、（ｊｋ＋２）列目の信号線Ｓｊｋ＋２に第２系列の画像信号ＯＳｊ−２として第ｊ元信号ＯＳｊが供給され、以降同様にして、（ｊｋ＋ｋ）列目の信号線Ｓｊｋ＋ｋに第ｋ系列の画像信号ＯＳｊ−ｋとして第ｊ元信号ＯＳｊが供給される。尚、本実施形態では１水平走査期間を５２単位の時間で表している。表示用信号供給回路３２からプリチャージ信号ＰＲＣが供給されている期間（プリチャージ期間）は２０単位時間であり、表示用信号供給回路３２から第１系列の画像信号ＯＳｊ−１が供給されている期間は８単位時間であり、表示用信号供給回路３２から第２系列の画像信号ＯＳｊ−２が供給されている期間は８単位時間であり、表示用信号供給回路３２から第３系列の画像信号ＯＳｊ−３が供給されている期間は８単位時間であり、表示用信号供給回路３２から第４系列の画像信号ＯＳｊ−４が供給されている期間は８単位時間である。尚、第１系列の画像信号ＯＳｊ−１が供給されている期間と、第２系列の画像信号ＯＳｊ−２が供給されている期間と、第３系列の画像信号ＯＳｊ−３が供給されている期間と、第４系列の画像信号ＯＳｊ−４が供給されている期間と、を特に区別する必要のない場合、これらを纏めて画像期間と称する。
【００４２】
一垂直走査期間は更に第２の水平走査期間を含んでいる事が好ましい。第２の水平走査期間は第１の水平走査期間に続いている。第２の水平走査期間では、ｋ個の信号線群の一部にプリチャージ信号ＰＲＣが供給された後に、ｋ個の信号線群の其々に画像信号が供給される。この際に、第１の水平走査期間と第２の水平走査期間とでは、プリチャージ信号ＰＲＣが供給される信号線が異なる様にされている。言い換えると、第２の水平走査期間に、駆動部５０がｋ個の信号線群の一部にはプリチャージ信号ＰＲＣを供給した後に画像信号を供給し、ｋ個の信号線群の残りにはプリチャージ信号ＰＲＣを供給しないで画像信号を供給する。この際に、第１の水平走査期間と第２の水平走査期間とで、プリチャージ信号ＰＲＣが供給される信号線が異なる様にされる。第１の水平走査期間と第２の水平走査期間とで、プリチャージ信号ＰＲＣが供給される信号線が異なっているので、プリチャージ動作の回数が減らされると共に、第１の水平走査期間にプリチャージ信号ＰＲＣが供給される信号線と第２の水平走査期間にプリチャージ信号ＰＲＣが供給される信号線とを変える事ができる。
【００４３】
要するに、第２の水平走査期間でも、プリチャージ信号ＰＲＣを供給する際に、第１系列信号ＳＥＬ１から第ｋ系列信号ＳＥＬｋの少なくとも一つを非選択信号とし、その際に第１の水平走査期間で非選択信号とした系列信号と第２の水平走査期間で非選択信号とする系列信号とを異なる様にする。今の例の場合、ｉ＋１行目の走査線Ｇｉ＋１が選択された水平走査期間が第２の水平走査期間になるが、この水平走査期間では、プリチャージ信号ＰＲＣを供給する際にｋ個の信号線群の内の一つの信号線群（この例では、第２系列信号線群）にだけプリチャージ信号ＰＲＣが供給され、残りの３つの信号線群にはプリチャージ信号ＰＲＣは供給されていない。即ち、ｉ＋１行目の走査線Ｇｉ＋１が選択された水平走査期間では、プリチャージ信号ＰＲＣが供給される際に、第２系列信号ＳＥＬ２だけが選択状態となって、（ｊｋ＋２）列目の信号線Ｓｊｋ＋２だけにプリチャージ信号ＰＲＣとして第ｊ元信号ＯＳｊが供給される。その他の系列信号は非選択状態となっている。第１の水平走査期間で非選択信号とされたのは第２系列信号ＳＥＬ２と第３系列信号ＳＥＬ３と第４系列信号ＳＥＬ４とであった。第２の水平走査期間で非選択信号とされるのは第１系列信号ＳＥＬ１と第３系列信号ＳＥＬ３と第４系列信号ＳＥＬ４とである。この様に、第１の水平走査期間で非選択信号とした系列信号と第２の水平走査期間で非選択信号とする系列信号とでは少なくとも１つの系列信号が異なる様にされている。その結果、第１の水平走査期間でプリチャージ信号ＰＲＣが供給されなかった信号線群と第２の水平走査期間でプリチャージ信号ＰＲＣが供給されなかった信号線群とでは少なくとも１つの信号線群が異なる様にされている。その後、第１系列信号ＳＥＬ１から第ｋ系列信号ＳＥＬｋが順次、時系列に選択状態となって、（ｊｋ＋１）列目の信号線Ｓｊｋ＋１に第１系列の画像信号ＯＳｊ−１として第ｊ元信号ＯＳｊが供給されたのに続き、（ｊｋ＋２）列目の信号線Ｓｊｋ＋２に第２系列の画像信号ＯＳｊ−２として第ｊ元信号ＯＳｊが供給され、以降同様にして、（ｊｋ＋ｋ）列目の信号線Ｓｊｋ＋ｋに第ｋ系列の画像信号ＯＳｊ−ｋとして第ｊ元信号ＯＳｊが供給される。
【００４４】
一垂直走査期間が少なくとも第１の水平走査期間から第ｋの水平走査期間迄のｋ個の水平走査期間を含んでおり、ｋ個の水平走査期間の各々で、ｋ個の信号線群の一部にプリチャージ信号ＰＲＣが供給された後に、ｋ個の信号線群の其々に画像信号が供給され、第１の水平走査期間から第ｋの水平走査期間迄の期間にｋ個の信号線群の総てにプリチャージ信号ＰＲＣが同じ回数供給される事が最も好ましい。言い換えると、一垂直走査期間は、少なくとも第１から第ｋの水平走査期間を含み、駆動部５０は、第１から第ｋの水平走査期間の各々で、ｋ個の信号線群の一部にプリチャージ信号ＰＲＣを供給した後に画像信号を供給し、ｋ個の信号線群の残りにプリチャージ信号ＰＲＣを供給しないで画像信号を供給し、第１から第ｋの水平走査期間でｋ個の信号線群の総てにプリチャージ信号ＰＲＣを供給する事が好ましい。斯うすると、プリチャージ動作の回数を減らせると共に、総ての信号線にプリチャージ信号ＰＲＣが供給されるからである。
【００４５】
本実施形態ではｋ＝４であるので、図５に示す様に、１回の垂直走査期間には第１の水平走査期間から第４の水平走査期間迄の４個の水平走査期間が含まれている。第１の水平走査期間はｉ行目の走査線Ｇｉが選択される走査期間であり、第２の水平走査期間はｉ＋１行目の走査線Ｇｉ＋１が選択される走査期間であり、第３の水平走査期間はｉ＋２行目の走査線Ｇｉ＋２が選択される走査期間であり、第４の水平走査期間はｉ＋３行目の走査線Ｇｉ＋３が選択される走査期間である。４個の水平走査期間の各々で、４個の信号線群の一部（本実施形態では１個の信号線群）にプリチャージ信号ＰＲＣが供給された後に、４個の信号線群の其々に画像信号が供給されている。水平走査期間毎にプリチャージ信号ＰＲＣが供給される信号線群が変わって行くので、第１の水平走査期間から第４の水平走査期間迄の期間に４個の信号線群の総てにプリチャージ信号ＰＲＣが同じ回数供給されている。本実施形態では、４個の信号線群の総てに、４回の水平走査期間に１回の割合で、プリチャージ信号ＰＲＣが供給されている。以降、第１の水平走査期間から第４の水平走査期間迄のサイクルが全水平走査期間に対して繰り返される。尚、本明細書では、信号線２３にプリチャージ信号ＰＲＣが供給される事をプリチャージ動作と称する。
【００４６】
図５に示される様に、プリチャージ動作が実施される信号線群は一水平走査期間毎に異なっており、各信号線群に於いて、信号線群の数ｋのＩ倍（Ｉは０よりも大きい値）の水平走査期間で以て一巡する構成とされるのが好ましい。要するに、各信号線群にてｋＩ回の水平走査期間毎にプリチャージ動作が実施されるのが好ましい。本実施形態では、総ての信号線２３に関して、信号線群の数（ｋ＝４）の１倍（Ｉ＝１）の４水平走査期間毎にプリチャージ動作が実施されている。これは、後に詳述する様に、プリチャージ動作は１水平走査期間に１回としなくてもクロストークは抑制されるからである。又、プリチャージ動作時の制御装置３０に於ける駆動負荷（選択状態の信号電位とすべき容量）は、従来構成と比較して、信号線群の数（系列信号の数）分の一（１／ｋ）に軽減されるので、消費電力も削減される。
【００４７】
「クロストーク」
従来は、図６に示す様に、総ての信号線２３に対して、１水平走査期間に１回の割合で、プリチャージ信号ＰＲＣが供給されていた。これにより縦方向に現れるクロストークが抑制されるからであった。本願発明者が鋭意研究した所に依ると、プリチャージ動作は１水平走査期間に１回としなくても、クロストーク抑制の効果が得られる事を実験で確認した。次にこの事を説明する。
【００４８】
図７はプリチャージ動作の頻度とクロストークとの関係を説明した図で、（ａ）はクロストークの定量方法を説明し、（ｂ）は評価結果の一例を示している。クロストークの定量は、図７（ａ）に示す様に、表示領域４２の中央部に５０％幅の黒ウインドウを表示した状態で、黒ウインドウの回りを背景階調輝度として１０％階調に設定する。その上で、背景階調輝度Ｂとクロストーク部輝度Ｃとの差の背景階調輝度Ｂに対する比をクロストーク量とする（（Ｂ−Ｃ）／Ｂ×１００）。実験では、プリチャージ動作の頻度を変えながらこのクロストーク量を測定した。測定結果は図７（ｂ）に示されている。
【００４９】
図７（ｂ）に示されている様に、プリチャージ動作がない場合（図７（ｂ）では「ＰＲＣなし」と記載）には２５％程度のクロストーク量が計測された。これに対して、プリチャージ動作を１水平走査期間に１回（従来技術に相当、図７（ｂ）では「１Ｈに１回」と記載）から３２水平走査期間に１回（図７（ｂ）では「３２Ｈに１回」と記載）の割合で行うと、いずれもクロストーク量は２％程度で、殆ど同等にクロストーク量が抑制された。プリチャージ動作の頻度を３２水平走査期間に１回よりも少なくすると、漸次クロストーク量が増加する傾向を見せた。例えば、６４水平走査期間に１回（図７（ｂ）では「６４Ｈに１回」と記載）とするとクロストーク量は６％程度へと増大した。クロストーク量が概ね３％を超えると、多くの人にクロストークとして視認されるので、クロストーク量は３％未満とされると高品位な画像となる。
【００５０】
従って、高品位な画像を表示する為に、駆動部５０は、一垂直走査期間中に、ｋ個の信号線群の各々に対して、複数回のプリチャージ信号ＰＲＣを供給するが、あるプリチャージ信号ＰＲＣが供給された後に次のプリチャージ信号ＰＲＣが供給される迄の期間を３２水平走査期間以下とする。斯うすると、図７（ｂ）に示される様に、クロストークが抑制されるからである。
【００５１】
プリチャージ動作は、前述の如く、信号線群の数ｋのＩ倍の水平走査期間で以て一巡する構成とされる。即ち、各信号線２３に関して、ｋＩ個の水平走査期間毎に１回プリチャージ動作が行われる。この際に、図７（ｂ）に示されている様に、ｋＩの値は１よりも大きく、３２よりも小さくする。即ち、プリチャージ動作は総ての水平走査期間については行われないが（１＜ｋＩ）、少なくとも３２水平走査期間に１回は行われる（ｋＩ≦３２）。これを実現する為に、一垂直走査期間には、ｋ個の信号線群の総てにプリチャージ信号ＰＲＣが供給されずに画像信号のみが供給される水平走査期間が含まれる事が好ましい。例えば、プリチャージ動作を１６水平走査期間に１回行う場合（ｋＩ＝１６、今の例ではｋ＝４、Ｉ＝４）、１６水平走査期間の内の四つは、図５に示す様な、第１の水平走査期間（第１系列信号線群のみにプリチャージ信号ＰＲＣを供給）と第２の水平走査期間（第２系列信号線群のみにプリチャージ信号ＰＲＣを供給）と第３の水平走査期間（第３系列信号線群のみにプリチャージ信号ＰＲＣを供給）と第４の水平走査期間（第４系列信号線群のみにプリチャージ信号ＰＲＣを供給）とし、残りの１２水平走査期間では、総ての信号線２３にプリチャージ信号ＰＲＣを供給せずに画像信号のみを供給する。プリチャージ信号ＰＲＣを供給しない水平走査期間が垂直走査期間に含まれるので、プリチャージ動作の回数が減らされる事になる。
【００５２】
尚、Ｉの値は１よりも小さくても構わない。例えば、Ｉ＝０．５とすると、今の例の場合（ｋ＝４）、２水平走査期間に１回の割合で各信号線２３にプリチャージ信号ＰＲＣが供給される事になる。この場合、第１の水平走査期間と第３の水平走査期間とで第１系列信号線群と第３系列信号線群とにプリチャージ信号ＰＲＣが供給され、第２の水平走査期間と第４の水平走査期間とで第２系列信号線群と第４系列信号線群とにプリチャージ信号ＰＲＣが供給される。斯うすると、２水平走査期間に１回の割合で各信号線２３にプリチャージ信号ＰＲＣが供給される。
【００５３】
又、例えば、Ｉ＝１／３とすると、今の例の場合（ｋ＝４）、４／３水平走査期間に１回の割合で各信号線２３にプリチャージ信号ＰＲＣが供給される事になる。即ち、４水平走査期間に３回の割合で各信号線２３にプリチャージ信号ＰＲＣが供給される事になる。この場合、第１の水平走査期間で第１系列信号線群と第２系列信号線群と第３系列信号線群とにプリチャージ信号ＰＲＣが供給され、第２の水平走査期間で第２系列信号線群と第３系列信号線群と第４系列信号線群とにプリチャージ信号ＰＲＣが供給され、第３の水平走査期間で第３系列信号線群と第４系列信号線群と第１系列信号線群とにプリチャージ信号ＰＲＣが供給され、第４の水平走査期間で第４系列信号線群と第１系列信号線群と第２系列信号線群とにプリチャージ信号ＰＲＣが供給される。斯うすると、４水平走査期間に３回の割合で各信号線２３にプリチャージ信号ＰＲＣが供給される。
【００５４】
「他の電子機器」
電気光学装置２０は上述の駆動方法で駆動されるが、この電気光学装置２０を組み込んだ電子機器としては、図１を参照して説明したプロジェクターの他にも、リアプロジェクション型テレビ、直視型テレビ、携帯電話、携帯用オーディオ機器、パーソナルコンピューター、ビデオカメラのモニター、カーナビゲーション装置、ページャー、電子手帳、電卓、ワードプロセッサー、ワークステーション、テレビ電話、ＰＯＳ端末、ディジタルスチルカメラなどを挙げる事ができる。
【００５５】
（実施形態２）
「プリチャージ期間が短縮された形態１」
図８は、実施形態２に係わる駆動方法を説明するタイミングチャートの一例である。次に、図８を参照して、実施形態２に係わる電気光学装置２０の駆動方法を説明する。尚、実施形態１と同一の構成部位については、同一の符号を附し、重複する説明は省略する。
【００５６】
図８に示す本実施形態の電気光学装置２０の駆動方法は、図５に示された実施形態１の電気光学装置２０の駆動方法と比べて、プリチャージ期間が短縮され、画像期間が長くされている点が異なっている。それ以外の構成は、実施形態１とほぼ同様である。実施形態１の電気光学装置２０の駆動方法（図５）では、プリチャージ期間が２０単位時間で、画像期間が其々８単位時間であった。これに対し、本実施形態の電気光学装置２０の駆動方法では、図８に示す様に、プリチャージ期間が１６単位時間に短縮され、画像期間が其々９単位時間と長くされている。
【００５７】
駆動部５０は、プリチャージ信号ＰＲＣの供給期間（プリチャージ期間）と画像信号の供給期間（画像期間）とを制御し、プリチャージ信号ＰＲＣの供給期間を短縮した場合、画像信号の供給期間を長くする事が好ましい。実施形態１にて詳述した様に、プリチャージ動作時の制御装置３０に於ける駆動負荷（選択状態の信号電位とすべき容量）は、従来構成と比較して、信号線群の数（系列信号の数）分の一（１／ｋ）に軽減されるので、プリチャージ動作の対象となる配線への時定数（配線抵抗と容量との積）が１／ｋへと小さくなる。従って、プリチャージ期間を、理論上は、従来のプリチャージ期間の１／ｋとする事ができる。本実施形態ではｋ＝４で有るので、プリチャージ期間を５単位時間（２０単位時間／４）迄短縮する事も可能であるが、図８に示す様に、プリチャージ期間を１６単位時間としている。これに伴い、画像期間が其々９単位時間と長くされている。画像信号の供給期間が長くなるので、各画素に正確な画像信号が供給される事が可能となる。
【００５８】
（実施形態３）
「系列信号が結合した形態」
図９は、実施形態３に係わる駆動方法を説明するタイミングチャートの一例である。次に、図９を参照して、実施形態３に係わる電気光学装置２０の駆動方法を説明する。尚、実施形態１乃至２と同一の構成部位については、同一の符号を附し、重複する説明は省略する。
【００５９】
図９に示す本実施形態の電気光学装置２０の駆動方法は、図５に示された実施形態１の電気光学装置２０の駆動方法と比べて、系列信号が結合されている点が異なっている。それ以外の構成は、実施形態１とほぼ同様である。
【００６０】
実施形態１の電気光学装置２０の駆動方法（図５）では、プリチャージ信号ＰＲＣを信号線群に供給する為の系列信号と画像信号を信号線群に供給する為の系列信号との間に非選択状態とされる期間が設けられていた。例えば、実施形態１（図５）では、第１の水平走査期間に第１系列信号ＳＥＬ１は、第１系列信号線群にプリチャージ信号ＰＲＣを供給する為に選択状態とされた後、一度、非選択状態とされ、その後再度、第１系列信号線群に第１系列の画像信号ＯＳｊ−１を供給する為に選択状態とされている。これに対して、本実施形態の駆動方法では、駆動部５０は、プリチャージ信号ＰＲＣの供給に連続して各系列の画像信号を供給している。即ち、図９に示す様に、例えば、第１の水平走査期間に第１系列信号ＳＥＬ１は、第１系列信号線群にプリチャージ信号ＰＲＣを供給する為に選択状態とされた後、非選択状態とされる事なく、選択状態が継続され、プリチャージ信号ＰＲＣに連続して、第１系列信号線群に第１系列の画像信号ＯＳｊ−１を供給している。斯うすると、系列信号に於けるプリチャージ信号ＰＲＣの為の選択信号と画像信号の為の選択信号とが連続して供給されるので、系列信号のスイッチング動作回数が削減される。即ち、系列線を充放電する回数が減り、スイッチングに起因する消費電力を更に削減する事ができる。
【００６１】
（実施形態４）
「プリチャージ期間が短縮された形態２」
図１０は、実施形態４に係わる駆動方法を説明するタイミングチャートの一例である。次に、図１０を参照して、実施形態４に係わる電気光学装置２０の駆動方法を説明する。尚、実施形態３と同一の構成部位については、同一の符号を附し、重複する説明は省略する。
【００６２】
図１０に示す本実施形態の電気光学装置２０の駆動方法は、図９に示された実施形態３の電気光学装置２０の駆動方法と比べて、プリチャージ期間が短縮され、画像期間が長くされている点が異なっている。それ以外の構成は、実施形態３とほぼ同様である。実施形態３の電気光学装置２０の駆動方法（図９）では、プリチャージ期間が２０単位時間で、画像期間が其々８単位時間であった。これに対し、本実施形態の電気光学装置２０の駆動方法では、図１０に示す様に、プリチャージ期間が１２単位時間に短縮され、画像期間が其々１０単位時間と長くされている。
【００６３】
駆動部５０は、プリチャージ信号ＰＲＣの供給期間（プリチャージ期間）と画像信号の供給期間（画像期間）とを制御し、プリチャージ信号ＰＲＣの供給期間を短縮した場合、画像信号の供給期間を長くする事が好ましい。実施形態１にて詳述した様に、プリチャージ動作時の制御装置３０に於ける駆動負荷（選択状態の信号電位とすべき容量）は、従来構成と比較して、信号線群の数（系列信号の数）分の一（１／ｋ）に軽減されるので、プリチャージ動作の対象となる配線への時定数（配線抵抗と容量との積）が１／ｋへと小さくなる。従って、プリチャージ期間を、理論上は、従来のプリチャージ期間の１／ｋとする事ができる。本実施形態ではｋ＝４で有るので、プリチャージ期間を５単位時間（２０単位時間／４）迄短縮する事も可能であるが、図１０に示す様に、プリチャージ期間を１２単位時間としている。これに伴い、画像期間が其々１０単位時間と長くされている。画像信号の供給期間が長くなるので、各画素に正確な画像信号が供給される事が可能となる。
【００６４】
（実施形態５）
「信号線駆動回路が異なる形態」
図１１は、実施形態５に係わる信号線駆動回路の回路構成を説明した図である。次に、図１１を参照して実施形態５に係わる信号線駆動回路５３の構成を説明する。尚、実施形態１と同一の構成部位については、同一の符号を附し、重複する説明は省略する。
【００６５】
図１１に示す本実施形態の信号線駆動回路５３は、図４に示された実施形態１の信号線駆動回路５３と比べて、プリチャージ回路５３１と画像信号回路５３２とが分離されている点が異なっている。それ以外の構成は、実施形態１とほぼ同様である。実施形態１の信号線駆動回路５３（図４）は、プリチャージ信号ＰＲＣと各系列の画像信号とを共に、信号線２３に供給していた。これに対し、本実施形態の信号線駆動回路５３は、プリチャージ回路５３１と画像信号回路５３２とを別々に有しており、プリチャージ回路５３１はプリチャージ信号ＰＲＣを信号線２３に供給し、画像信号回路５３２は各系列の画像信号を信号線２３に供給する。
【００６６】
プリチャージ回路５３１は、ｋ種類の系列信号に対応するｋ本の系列線と、１本のプリチャージ信号ＰＲＣ線が配線されている。第ｐ系列線には第ｐ系列信号ＳＥＬｐが供給される（ｐは１からｋ迄の任意の整数）。例えば、第１系列線には第１系列信号ＳＥＬ１が供給され、第２系列線には第２系列信号ＳＥＬ２が供給され、以下同様にして、第ｋ系列線には第ｋ系列信号ＳＥＬｋが供給される。プリチャージ信号ＰＲＣ線にはプリチャージ信号ＰＲＣが供給される。
【００６７】
プリチャージ回路５３１には、ｎ／ｋ個の第１スイッチＳＷ１からｎ／ｋ個の第ｋスイッチＳＷｋが含まれている。第１スイッチＳＷ１から第ｋスイッチＳＷｋは、画素トランジスター２４と同様に、薄膜トランジスターで形成されている。第ｐスイッチＳＷｐの一端（ソースとドレインとの一方）は（ｊｋ＋ｐ）列目の信号線Ｓｊｋ＋ｐに電気的に接続され、第ｐスイッチＳＷｐの他端（ソースとドレインとの他方）はプリチャージ信号ＰＲＣ線に電気的に接続され、第ｐスイッチＳＷｐのゲートは第ｐ系列線に電気的に接続されている。従って、第ｐ系列信号ＳＥＬｐが選択信号となれば、第ｐスイッチＳＷｐはオン状態となり、（ｊｋ＋ｐ）列目の信号線Ｓｊｋ＋ｐ（第ｐ系列信号線群）には、プリチャージ信号ＰＲＣが供給される。例えば、第１系列信号線群に属する１列目の信号線Ｓ１とプリチャージ信号ＰＲＣ線との間に第１スイッチＳＷ１が配置され、第１スイッチＳＷ１のゲートは第１系列線に電気的に接続されている。その為に、第１系列信号ＳＥＬ１が選択信号となれば、第１スイッチＳＷ１はオン状態となり、１列目の信号線Ｓ１には、プリチャージ信号ＰＲＣが供給される。同様に、例えば、第４系列信号線群に属する４１１２列目の信号線Ｓ４１１２とプリチャージ信号ＰＲＣ線との間に第４スイッチＳＷ４が配置され、第４スイッチＳＷ４のゲートは第４系列線に電気的に接続されている。その為に、第４系列信号ＳＥＬ４が選択信号となれば、第４スイッチＳＷ４はオン状態となり、４１１２列目の信号線Ｓ４１１２には、プリチャージ信号ＰＲＣが供給される。
【００６８】
画像信号回路５３２は不図示のシフトレジスター回路や不図示のアナログ信号サンプリングスイッチ等を含み、各信号線２３に画像信号を線順次又は点順次にて供給する。
【００６９】
これ以外の構成は実施形態１と同様で、１回の垂直走査期間にはｍ個の水平走査期間が含まれ、一垂直走査期間は少なくとも第１の水平走査期間を含んでいる。図５に示す様に、第１の水平走査期間では、ｋ個の信号線群の一部にプリチャージ回路５３１からプリチャージ信号ＰＲＣが供給された後に、ｋ個の信号線群の其々に画像信号回路５３２から画像信号が供給される（本実施形態では、一例として、ｋ＝４）。言い換えると、第１の水平走査期間においては、駆動部５０がｋ個の信号線群に画像信号を供給する場合、ｋ個の信号線群の一部にはプリチャージ信号ＰＲＣを供給した後に画像信号を供給し、ｋ個の信号線群の残りにはプリチャージ信号ＰＲＣを供給しないで画像信号を供給する。尚、画像信号は図５に示す様に各信号線群毎に供給しても良いし、信号線２３に１本ずつ順次画像信号を供給しても良いし（点順次駆動）、全信号線２３に一斉に画像信号を供給しても良いし（線順次駆動）。
【００７０】
本発明は上述した実施形態に限定されず、上述した実施形態に種々の変更や改良などを加えることが可能である。変形例を以下に説明する。
【００７１】
（変形例１）
「系列信号の順序が異なる形態」
実施形態１乃至４では第１の水平走査期間から第４の水平走査期間に渡って、プリチャージ信号ＰＲＣが供給されるのは、第１系列信号線群から第２系列信号線群、第３系列信号線群、第４系列信号線群、であったが、この順番は任意である。例えば、第１の水平走査期間には第１系列信号線群にプリチャージ信号ＰＲＣを供給し、第２系列信号線群と第３系列信号線群と第４系列信号線群とにはプリチャージ信号ＰＲＣを供給せず、第２の水平走査期間には第３系列信号線群にプリチャージ信号ＰＲＣを供給し、第１系列信号線群と第２系列信号線群と第４系列信号線群とにはプリチャージ信号ＰＲＣを供給せず、第３の水平走査期間には第２系列信号線群にプリチャージ信号ＰＲＣを供給し、第１系列信号線群と第３系列信号線群と第４系列信号線群とにはプリチャージ信号ＰＲＣを供給せず、第４の水平走査期間には第４系列信号線群にプリチャージ信号ＰＲＣを供給し、第１系列信号線群と第２系列信号線群と第３系列信号線群とにはプリチャージ信号ＰＲＣを供給せしない駆動方法としても良い。この様に、どんな順番で、信号線群にプリチャージ信号ＰＲＣを供給するかは任意である。
（変形例２）
「複数の系列に対してプリチャージ動作を行う形態」
実施形態１乃至４では第１の水平走査期間から第４の水平走査期間に渡って、プリチャージ信号ＰＲＣが供給されるのは、第１系列信号線群から第２系列信号線群、第３系列信号線群、第４系列信号線群、であったが、１回の動作でプリチャージ信号ＰＲＣの供給は複数の系列に対して実施してもよい。例えば第１の水平走査期間には第１系列信号線群と第２系列信号線群にプリチャージ信号ＰＲＣを供給し、第３系列信号線群と第４系列信号線群とにはプリチャージ信号ＰＲＣを供給せず、第２の水平走査期間には第２系列信号線群と第３系列信号線群にプリチャージ信号ＰＲＣを供給し、第４系列信号線群と第１系列信号線群とにはプリチャージ信号ＰＲＣを供給せず、第３の水平走査期間には第３系列信号線群と第４系列信号線群にプリチャージ信号ＰＲＣを供給し、第１系列信号線群と第２系列信号線群とにはプリチャージ信号ＰＲＣを供給せず、第４の水平走査期間には第４系列信号線群と第１系列信号線群にプリチャージ信号ＰＲＣを供給し、第２系列信号線群と第３系列信号線群とにはプリチャージ信号ＰＲＣを供給しない駆動方法としても良い。この様に、１回のプリチャージ動作におけるプリチャージ信号ＰＲＣを供給する系列の組み合わせ、順番は任意に可能である。ただしいずれの組み合わせにおいても、１回のプリチャージ動作において全系列信号線群に対してプリチャージ信号ＰＲＣを供給することは行わない。
【符号の説明】
【００７２】
Ｇｉ…ｉ行目の走査線、ＯＳｊ…第ｊ元信号、ＯＳｊ−１…第１系列の画像信号、ＯＳｊ−２…第２系列の画像信号、ＯＳｊ−３…第３系列の画像信号、ＯＳｊ−４…第４系列の画像信号、ＰＲＣ…プリチャージ信号、ＳＥＬ１…第１系列信号、ＳＥＬ２…第２系列信号、ＳＥＬ３…第３系列信号、ＳＥＬ４…第４系列信号、Ｓｊｋ＋ｐ…（ｊｋ＋ｐ）列目の信号線、ＳＷ１…第１スイッチ、ＳＷ２…第２スイッチ、ＳＷ３…第３スイッチ、ＳＷ４…第４スイッチ、２０…電気光学装置、２１…画素、２２…走査線、２３…信号線、２４…画素トランジスター、２５…画素電極、２６…液晶、２７…共通電極、３０…制御装置、３２…表示用信号供給回路、３３…記憶回路、４２…表示領域、５０…駆動部、５１…駆動回路、５２…走査線駆動回路、５３…信号線駆動回路、２０１…第一パネル、２０２…第二パネル、２０３…第三パネル、５３１…プリチャージ回路、５３２…画像信号回路、１０００…投射型表示装置、１１００…照明光学系、１３００…投射光学系、１４００…投射面。
【図１】
2015094766.tif 000003
【図２】
2015094766.tif 000004
【図３】
2015094766.tif 000005
【図４】
2015094766.tif 000006
【図５】
2015094766.tif 000007
【図６】
2015094766.tif 000008
【図８】
2015094766.tif 000009
【図９】
2015094766.tif 000010
【図１０】
2015094766.tif 000011
【図１１】
2015094766.tif 000012
【図７】
2015094766.tif 000013